(57)【要約】【課題】各ＣＩスロットに接続された各ＣＡＭの一方で復号中のトランスポートストリーム（ＴＳ）に係る信号の出力の中断を抑制し得る放送受信装置を提供する。【解決手段】放送受信装置１００は、放送信号を受信してＴＳを出力する第１及び第２の受信部１１１，１１２と、各受信部が出力したＴＳを、各ＣＡＭを接続した各ＣＩスロットに選択的に入力するスイッチ１５０と、各ＣＩスロットに接続されたＣＡＭが出力した信号をデコードすることでＣＡＭによる復号の結果が正常であるか否かを判別するデコーダ１４０と、一方の受信部から出力された第１ＴＳを、複数のＴＳを復号可能なＣＡＭが接続されているＣＩスロットへと入力するようにスイッチ１５０を制御し、そのＣＡＭが出力した信号に基づくデコーダ１４０の判別結果が正常でないときには、第１ＴＳを、他のＣＩスロットへと入力するようにスイッチ１５０を切り替える制御部１６０とを備える。【選択図】図２
2017163427.tif 000002
【特許請求の範囲】
【請求項１】
放送信号を受信してトランスポートストリームを出力する第１受信部と、
放送信号を受信してトランスポートストリームを出力する第２受信部と、
入力されたトランスポートストリームを復号して出力するカードモジュールと接続され、入力されたトランスポートストリームを当該カードモジュールに入力する第１インタフェース部と、
入力されたトランスポートストリームを復号して出力するカードモジュールと接続され、入力されたトランスポートストリームを当該カードモジュールに入力する第２インタフェース部と、
前記第１受信部及び前記第２受信部のそれぞれから出力されたトランスポートストリームを前記第１インタフェース部及び前記第２インタフェース部のそれぞれに選択的に入力するスイッチと、
前記第１インタフェース部及び前記第２インタフェース部のいずれかに接続されたカードモジュールが出力した信号をデコードすることで、当該カードモジュールによる復号の結果が正常であるか否かを判別するデコーダと、
前記第１受信部及び前記第２受信部のいずれかから出力された第１トランスポートストリームを、前記第１インタフェース部及び前記第２インタフェース部のうち、複数のトランスポートストリームを復号可能なマルチカードモジュールが接続されている一方のインタフェース部に入力するように前記スイッチを制御し、前記一方のインタフェース部に接続された前記マルチカードモジュールが出力した信号に基づく前記デコーダの判別結果が正常でないときには、当該第１トランスポートストリームを、前記第１インタフェース部及び前記第２インタフェース部のうち他方のインタフェース部に入力するように前記スイッチを切り替える制御部とを備える
放送受信装置。
【請求項２】
前記制御部は、前記一方のインタフェース部に接続された前記マルチカードモジュールが出力した信号に基づく前記デコーダの判別結果が正常であるときには、前記第１受信部及び前記第２受信部のうち前記第１トランスポートストリームを出力しない方から出力された第２トランスポートストリームを、前記他方のインタフェース部に入力するように前記スイッチを制御し、前記他方のインタフェース部に接続されたカードモジュールが出力した信号に基づく前記デコーダの判別結果が正常でないときには、当該第２トランスポートストリームを、前記一方のインタフェース部に入力するように前記スイッチを切り替える
請求項１記載の放送受信装置。
【請求項３】
前記制御部は、前記スイッチを制御して、前記マルチカードモジュールに前記第１トランスポートストリームを入力している際に、当該マルチカードモジュールに前記第２トランスポートストリームを入力するときには、前記第１トランスポートストリームの入力に用いられる帯域を保ったまま、当該マルチカードモジュールに前記第２トランスポートストリームが入力されるように制御する
請求項２記載の放送受信装置。
【請求項４】
前記放送受信装置は更にユーザ操作を受け付ける操作受付部を備え、
前記制御部は、前記操作受付部により受け付けられたユーザ操作に基づいて、前記第１受信部及び前記第２受信部のいずれかから出力されたトランスポートストリームを、前記第１トランスポートストリームとして選定して前記スイッチの前記制御を行う
請求項１〜３のいずれか一項に記載の放送受信装置。
【請求項５】
前記制御部は、前記第１受信部から出力されたトランスポートストリームを、前記第１トランスポートストリームとして選定して前記スイッチの前記制御を行う
請求項１〜３のいずれか一項に記載の放送受信装置。
【請求項６】
前記デコーダは、前記カードモジュールによる復号の結果が正常であるときに前記デコードの結果を表示装置に送出する
請求項１〜５のいずれか一項に記載の放送受信装置。
【請求項７】
入力されたトランスポートストリームを復号して出力するカードモジュールを複数接続して当該各カードモジュールが出力した信号をデコードする放送受信装置において、トランスポートストリームを当該各カードモジュールに選択的に入力する入力方法であって、
第１トランスポートストリームを、前記放送受信装置に接続された前記各カードモジュールのうち、複数のトランスポートストリームを復号可能なマルチカードモジュールに入力する第１ステップと、
前記第１ステップで前記入力を行った後に、前記マルチカードモジュールが出力した信号に基づいて当該マルチカードモジュールでの復号の結果が正常であるか否かを判別し、前記判別の結果が正常でないときには、前記第１トランスポートストリームを、前記各カードモジュールのうち当該マルチカードモジュール以外のカードモジュールに入力する第２ステップとを含む
入力方法。
【請求項８】
前記第２ステップにおいて、前記マルチカードモジュールが出力した信号に基づき、前記マルチカードモジュールでの復号の結果が正常であると前記判別を行ったときには、前記第１トランスポートストリーム以外の第２トランスポートストリームを、前記マルチカードモジュール以外のカードモジュールに入力する第３ステップと、
前記第３ステップで前記入力を行った後に、前記マルチカードモジュール以外のカードモジュールが出力した信号に基づいて当該マルチカードモジュール以外の当該カードモジュールでの復号の結果が正常であるか否かを判別し、前記判別の結果が正常でないときには、前記第２トランスポートストリームを、前記各カードモジュールのうち前記マルチカードモジュールに入力する第４ステップとを含む
請求項７記載の入力方法。
【請求項９】
入力されたトランスポートストリームを復号して出力するカードモジュールを複数接続して当該各カードモジュールが出力した信号をデコードする放送受信装置におけるマイクロプロセッサに、トランスポートストリームを当該各カードモジュールに選択的に入力するための選択入力処理を実行させる制御プログラムであって、
前記選択入力処理は、
第１トランスポートストリームを、前記放送受信装置に接続された前記各カードモジュールのうち、複数のトランスポートストリームを復号可能なマルチカードモジュールに入力する第１ステップと、
前記第１ステップで前記入力を行った後に、前記マルチカードモジュールが出力した信号に基づいて当該マルチカードモジュールでの復号の結果が正常であるか否かを判別し、前記判別の結果が正常でないときには、前記第１トランスポートストリームを、前記各カードモジュールのうち当該マルチカードモジュール以外のカードモジュールに入力する第２ステップとを含む
制御プログラム。
【発明の詳細な説明】
【技術分野】
【０００１】
本開示は、暗号化された放送信号を受信する放送受信装置に関する。
【背景技術】
【０００２】
欧州のデジタル放送を受信する放送受信装置では、スクランブル処理等で暗号化された信号が用いられる有料放送の視聴に関してＤＶＢ−ＣＩ（Digital Video Broadcasting − Common Interface）方式が用いられている。ＤＶＢ−ＣＩ方式では、放送受信装置は、ＣＩ（Common Interface）スロットを備え、ＣＩスロットに挿入（装着）することで接続されるカード形状のＣＡＭ（Conditional Access Module）により、暗号化された信号の復号（デクリプト）が行われる。ある有料放送の視聴契約者は、その有料放送の信号を復号可能なＣＡＭ（以下、カードモジュールとも称する）を用いることで、有料放送を視聴可能となる。
【０００３】
特許文献１には、２種類の契約の有料放送を視聴可能にする、２つのチューナー（受信部）と、２つのＣＩスロットと備える放送受信装置が開示されている。有料放送を選局して放送信号を受信したチューナーが出力するトランスポートストリーム（ＴＳ：Transport Stream）は、ＣＩスロットに接続されたＣＡＭにより復号される。特許文献１に係る放送受信装置では、チューナーとＣＡＭとの対応関係をユーザが誤っても放送の視聴が可能となる。即ち、特許文献１に係る放送受信装置は、２つのチューナーのいずれかに対応する各ＣＡＭを、２つのＣＩスロットのいずれに入れた場合においても、ユーザは、有料放送を視聴することができる。
【０００４】
ＣＡＭ（Conditional Access Module）は、ＴＳを復号する機能を有するカードモジュールであるが、ＤＶＢ−ＣＩ  Ｐｌｕｓ規格のバージョン１．４では、単一のＴＳのみならず、新たに、複数のＴＳを復号する機能を有するＣＡＭが規定された。以下、単一のＴＳのみを復号可能なカードモジュール（ＣＡＭ）をシングルカードモジュールと称し、複数のＴＳを復号可能なカードモジュール（ＣＡＭ）をマルチカードモジュールと称する。
【先行技術文献】
【特許文献】
【０００５】
【特許文献１】欧州特許出願公開第２７５７７９６号明細書
【非特許文献】
【０００６】
【非特許文献１】EUROPEAN STANDARD EN50221，Common Interface Specification for Conditional Access and other Digital Video Broadcasting Decoder Applications，English Version，Ref．No．EN50221：1996E，１９９７年２月
【非特許文献２】Digital Video Broadcasting （DVB）；Extensions to the CI Plus Specification，ETSI TS 103 205 V1.1.1，２０１４年３月
【非特許文献３】Digital Video Broadcasting （DVB）；Extensions to the CI Plus Specification（CI Plus １．４），DVB Document A165，２０１５年６月
【発明の概要】
【発明が解決しようとする課題】
【０００７】
特許文献１に係る放送受信装置における一方のチューナーＸからのＴＳを、ＣＩスロットの一方であるＡスロットに接続されたシングルカードモジュールで正常に復号し、デコーダでデコードして表示装置等に出力している場合において、他方のチューナーＹからのＴＳを、他方のＣＩスロットであるＢスロットに接続されたカードモジュールで正常に復号できなかったときに次の問題が生じる。
【０００８】
チューナーとカードモジュールとの対応関係を入れ替えることで２つのＴＳの復号を正常に行える可能性があるため、チューナーＹからのＴＳをＡスロットに接続されたシングルカードモジュールで復号できるか否かを確認する。この確認を経て一定条件を満たせば、２つのＴＳに係る有料放送の視聴が可能になり得る。しかし、チューナーＸからのＴＳをＡスロットに接続されたシングルカードモジュールで復号した結果に基づきデコードされた放送内容（放送番組としてのコンテンツ）が表示装置等に出力されている際に、Ａスロットに接続されたシングルカードモジュールがチューナーＹからのＴＳの復号の確認に用いられると、既に出力中のチューナーＸからのＴＳに基づくコンテンツのその出力が一時的に途切れてしまう。
【０００９】
本開示は、複数のインタフェース（ＣＩスロット）の一方にシングルカードモジュールが、他方にマルチカードモジュールが接続される場合に対応して有料放送の視聴を可能にし、かつ、復号されたＴＳに係るコンテンツの出力の中断を抑制し得る放送受信装置を提供する。
【課題を解決するための手段】
【００１０】
本開示における放送受信装置は、放送信号を受信してトランスポートストリームを出力する第１受信部と、放送信号を受信してトランスポートストリームを出力する第２受信部と、入力されたトランスポートストリームを復号して出力するカードモジュールと接続され、入力されたトランスポートストリームを当該カードモジュールに入力する第１インタフェース部と、入力されたトランスポートストリームを復号して出力するカードモジュールと接続され、入力されたトランスポートストリームを当該カードモジュールに入力する第２インタフェース部と、前記第１受信部及び前記第２受信部のそれぞれから出力されたトランスポートストリームを前記第１インタフェース部及び前記第２インタフェース部のそれぞれに選択的に入力するスイッチと、前記第１インタフェース部及び前記第２インタフェース部のいずれかに接続されたカードモジュールが出力した信号をデコードすることで、当該カードモジュールによる復号の結果が正常であるか否かを判別するデコーダと、前記第１受信部及び前記第２受信部のいずれかから出力された第１トランスポートストリームを、前記第１インタフェース部及び前記第２インタフェース部のうち、複数のトランスポートストリームを復号可能なマルチカードモジュールが接続されている一方のインタフェース部に入力するように前記スイッチを制御し、前記一方のインタフェース部に接続された前記マルチカードモジュールが出力した信号に基づく前記デコーダの判別結果が正常でないときには、当該第１トランスポートストリームを、前記第１インタフェース部及び前記第２インタフェース部のうち他方のインタフェース部に入力するように前記スイッチを切り替える制御部とを備える。
【００１１】
また、本開示における入力方法は、入力されたトランスポートストリームを復号して出力するカードモジュールを複数接続して当該各カードモジュールが出力した信号をデコードする放送受信装置において、トランスポートストリームを当該各カードモジュールに選択的に入力する入力方法であって、第１トランスポートストリームを、前記放送受信装置に接続された前記各カードモジュールのうち、複数のトランスポートストリームを復号可能なマルチカードモジュールに入力する第１ステップと、前記第１ステップで前記入力を行った後に、前記マルチカードモジュールが出力した信号に基づいて当該マルチカードモジュールでの復号の結果が正常であるか否かを判別し、前記判別の結果が正常でないときには、前記第１トランスポートストリームを、前記各カードモジュールのうち当該マルチカードモジュール以外のカードモジュールに入力する第２ステップとを含む。
【００１２】
また、本開示における制御プログラムは、入力されたトランスポートストリームを復号して出力するカードモジュールを複数接続して当該各カードモジュールが出力した信号をデコードする放送受信装置におけるマイクロプロセッサに、トランスポートストリームを当該各カードモジュールに選択的に入力するための選択入力処理を実行させる制御プログラムであって、前記選択入力処理は、第１トランスポートストリームを、前記放送受信装置に接続された前記各カードモジュールのうち、複数のトランスポートストリームを復号可能なマルチカードモジュールに入力する第１ステップと、前記第１ステップで前記入力を行った後に、前記マルチカードモジュールが出力した信号に基づいて当該マルチカードモジュールでの復号の結果が正常であるか否かを判別し、前記判別の結果が正常でないときには、前記第１トランスポートストリームを、前記各カードモジュールのうち当該マルチカードモジュール以外のカードモジュールに入力する第２ステップとを含む。
【発明の効果】
【００１３】
本開示における放送受信装置によれば、シングルカードモジュールとマルチカードモジュールとを接続して２つの有料放送を視聴し得るようになり、コンテンツの出力の中断が抑制され得る。
【図面の簡単な説明】
【００１４】
【図１】実施の形態１に係る放送受信装置を含む放送受信システムの一例を示す概略図である。
【図２】実施の形態１に係る放送受信装置の機能ブロック図である。
【図３】実施の形態１に係る放送受信装置の動作例を示すフローチャートである。
【図４】実施の形態１に係る放送受信装置におけるスイッチ制御処理を示すフローチャートである（図５に続く）。
【図５】実施の形態１に係る放送受信装置におけるスイッチ制御処理を示すフローチャートである（図４から続く）。
【発明を実施するための形態】
【００１５】
２つのインタフェース（ＣＩスロット）の一方にシングルカードモジュールが他方にマルチカードモジュールが接続される場合に２つの有料放送の視聴を可能にし、放送内容（コンテンツ）の出力の中断を抑制すべく、本開示における放送受信装置は、放送信号を受信してトランスポートストリームを出力する第１受信部と、放送信号を受信してトランスポートストリームを出力する第２受信部と、入力されたトランスポートストリームを復号して出力するカードモジュールと接続され、入力されたトランスポートストリームを当該カードモジュールに入力する第１インタフェース部と、入力されたトランスポートストリームを復号して出力するカードモジュールと接続され、入力されたトランスポートストリームを当該カードモジュールに入力する第２インタフェース部と、前記第１受信部及び前記第２受信部のそれぞれから出力されたトランスポートストリームを前記第１インタフェース部及び前記第２インタフェース部のそれぞれに選択的に入力するスイッチと、前記第１インタフェース部及び前記第２インタフェース部のいずれかに接続されたカードモジュールが出力した信号をデコードすることで、当該カードモジュールによる復号の結果が正常であるか否かを判別するデコーダと、前記第１受信部及び前記第２受信部のいずれかから出力された第１トランスポートストリームを、前記第１インタフェース部及び前記第２インタフェース部のうち、複数のトランスポートストリームを復号可能なマルチカードモジュールが接続されている一方のインタフェース部に入力するように前記スイッチを制御し、前記一方のインタフェース部に接続された前記マルチカードモジュールが出力した信号に基づく前記デコーダの判別結果が正常でないときには、当該第１トランスポートストリームを、前記第１インタフェース部及び前記第２インタフェース部のうち他方のインタフェース部に入力するように前記スイッチを切り替える制御部とを備える。
【００１６】
これにより、第１トランスポートストリーム（ＴＳ）を、マルチカードモジュールで復号させることができるので、優先度が高いＴＳを、第１ＴＳと定めて利用することで、第１ＴＳを復号してデコーダでデコードする際の信号の流れが途切れることを抑制できる。例えば、第１ＴＳのデコード中において、相対的に優先度が低いトランスポートストリーム（ＴＳ）をマルチカードモジュール以外のカードモジュールで復号してその復号が正常でないと確認した時点で、マルチカードモジュールにその優先度の低いＴＳを入力しても、マルチカードモジュールは、第１ＴＳの復号を継続して行いつつ、その優先度の低いＴＳの復号も行えるからである。
【００１７】
ここで、例えば、前記制御部は、前記一方のインタフェース部に接続された前記マルチカードモジュールが出力した信号に基づく前記デコーダの判別結果が正常であるときには、前記第１受信部及び前記第２受信部のうち前記第１トランスポートストリームを出力しない方から出力された第２トランスポートストリームを、前記他方のインタフェース部に入力するように前記スイッチを制御し、前記他方のインタフェース部に接続されたカードモジュールが出力した信号に基づく前記デコーダの判別結果が正常でないときには、当該第２トランスポートストリームを、前記一方のインタフェース部に入力するように前記スイッチを切り替えることとしてもよい。
【００１８】
これにより、第１ＴＳのデコード中において、第１受信部と第２受信部とのうち一方で受信された第１ＴＳ以外の、他方で受信された第２トランスポートストリーム（ＴＳ）をマルチカードモジュール以外のカードモジュールで復号し、その復号が正常でない場合に、マルチカードモジュールに第２ＴＳを入力するので、第１ＴＳのデコードが途切れることが抑制される。なお、第１ＴＳのデコードが途切れる、つまり、受信された放送信号に基づき放送受信装置内でデコードするまでの信号の伝送経路において、信号が適切に流れず途絶えると、例えば、放送信号に基づく放送内容（コンテンツ）の表示、記録等が少なくとも一時的に不可能になる。
【００１９】
また、例えば、前記制御部は、前記スイッチを制御して、前記マルチカードモジュールに前記第１トランスポートストリームを入力している際に、当該マルチカードモジュールに前記第２トランスポートストリームを入力するときには、前記第１トランスポートストリームの入力に用いられる帯域を保ったまま、当該マルチカードモジュールに前記第２トランスポートストリームが入力されるように制御することとしてもよい。
【００２０】
これにより、第１ＴＳを放送受信装置でデコードしている間において、第２ＴＳの復号が正常か否かを確認するために、デコード中の第１ＴＳの信号のビットレートの低下により品質が低下すること等を抑制し得る。
【００２１】
また、例えば、前記放送受信装置は更にユーザ操作を受け付ける操作受付部を備え、前記制御部は、前記操作受付部により受け付けられたユーザ操作に基づいて、前記第１受信部及び前記第２受信部のいずれかから出力されたトランスポートストリームを、前記第１トランスポートストリームとして選定して前記スイッチの前記制御を行うこととしてもよい。
【００２２】
これにより、ユーザ操作に応じて途切れることを抑制すべきＴＳを選定し得る。
【００２３】
また、例えば、前記制御部は、前記第１受信部から出力されたトランスポートストリームを、前記第１トランスポートストリームとして選定して前記スイッチの前記制御を行うこととしてもよい。
【００２４】
これにより、第１受信部で受信された放送に係るＴＳが優先的に途切れないように制御されることになり、ユーザは第１受信部に重要な放送番組等を受信させておくことで、重要な放送番組等が途切れなくなる。
【００２５】
また、例えば、前記デコーダは、前記カードモジュールによる復号の結果が正常であるときに前記デコードの結果を表示装置に送出することとしてもよい。
【００２６】
これにより、ＴＳがデコードされて表示装置に表示され得る。そして、優先度の高い第１ＴＳが表示装置に表示されている際において、その表示が途絶えることが抑制され得る。
【００２７】
また、本開示における入力方法は、入力されたトランスポートストリームを復号して出力するカードモジュールを複数接続して当該各カードモジュールが出力した信号をデコードする放送受信装置において、トランスポートストリームを当該各カードモジュールに選択的に入力する入力方法であって、第１トランスポートストリームを、前記放送受信装置に接続された前記各カードモジュールのうち、複数のトランスポートストリームを復号可能なマルチカードモジュールに入力する第１ステップと、前記第１ステップで前記入力を行った後に、前記マルチカードモジュールが出力した信号に基づいて当該マルチカードモジュールでの復号の結果が正常であるか否かを判別し、前記判別の結果が正常でないときには、前記第１トランスポートストリームを、前記各カードモジュールのうち当該マルチカードモジュール以外のカードモジュールに入力する第２ステップとを含む。
【００２８】
これにより、第１ＴＳを、まずマルチカードモジュールで復号させるので、優先度が高いＴＳを第１ＴＳと定めて利用することで、第１ＴＳの復号が途切れることを抑制できる。
【００２９】
ここで、例えば、前記第２ステップにおいて、前記マルチカードモジュールが出力した信号に基づき、前記マルチカードモジュールでの復号の結果が正常であると前記判別を行ったときには、前記第１トランスポートストリーム以外の第２トランスポートストリームを、前記マルチカードモジュール以外のカードモジュールに入力する第３ステップと、前記第３ステップで前記入力を行った後に、前記マルチカードモジュール以外のカードモジュールが出力した信号に基づいて当該マルチカードモジュール以外の当該カードモジュールでの復号の結果が正常であるか否かを判別し、前記判別の結果が正常でないときには、前記第２トランスポートストリームを、前記各カードモジュールのうち前記マルチカードモジュールに入力する第４ステップとを含むこととしてもよい。
【００３０】
これにより、第１ＴＳをマルチカードモジュールに入力している際において、第１ＴＳ以外の第２ＴＳをマルチカードモジュール以外のカードモジュールで復号し、その復号が正常でない場合に、マルチカードモジュールに第２ＴＳを入力するので、第１ＴＳの復号等が途切れることが抑制される。
【００３１】
また、本開示における制御プログラムは、入力されたトランスポートストリームを復号して出力するカードモジュールを複数接続して当該各カードモジュールが出力した信号をデコードする放送受信装置におけるマイクロプロセッサに、トランスポートストリームを当該各カードモジュールに選択的に入力するための選択入力処理を実行させる制御プログラムであって、前記選択入力処理は、第１トランスポートストリームを、前記放送受信装置に接続された前記各カードモジュールのうち、複数のトランスポートストリームを復号可能なマルチカードモジュールに入力する第１ステップと、前記第１ステップで前記入力を行った後に、前記マルチカードモジュールが出力した信号に基づいて当該マルチカードモジュールでの復号の結果が正常であるか否かを判別し、前記判別の結果が正常でないときには、前記第１トランスポートストリームを、前記各カードモジュールのうち当該マルチカードモジュール以外のカードモジュールに入力する第２ステップとを含む。
【００３２】
これにより、この制御プログラムがインストールされて実行される、プロセッサを備える放送受信装置は、第１ＴＳを、マルチカードモジュールで復号させるので、優先度が高いＴＳを第１ＴＳと定めて利用することで、第１ＴＳを復号してデコーダでデコードする際の信号の流れが途切れることを抑制できる。
【００３３】
なお、これらの包括的又は具体的な各種態様には、装置、システム、方法、集積回路、コンピュータプログラム、コンピュータで読み取り可能な記録媒体等の１つ又は複数の組合せが含まれる。
【００３４】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００３５】
なお、発明者は、当業者が本開示を十分に理解するために図面及び以下の説明を提供するのであって、これらによって特許請求の範囲に記載の主題を限定することを意図するものではない。即ち、以下の具体例を用いた説明で示される数値、形状、構成要素、構成要素の配置及び接続形態、並びに、ステップ（工程）及びステップの順序等は、一例であって、特許請求の範囲に記載の主題を限定するものではない。以下の実施の形態における構成要素のうち、独立請求項に記載されていない構成要素については、任意に付加可能な構成要素である。また、各図は、模式図であり、必ずしも厳密に図示されたものではない。
【００３６】
（実施の形態１）
以下、図面を用いて、放送受信システムで用いられる放送受信装置に係る実施の形態１を説明する。
【００３７】
［１−１．構成］
図１は、実施の形態１における放送受信システムの一例を示す概略図である。
【００３８】
図１に例示する放送受信システムは、放送される映像及び音声を含むコンテンツの視聴用のシステムであり、放送受信装置１００と表示装置２１０と記録装置２２０とを含んで構成される。図１の放送受信システムでは、放送受信装置１００は、放送信号を受信して放送内容（コンテンツ）を出力するセットトップボックス（ＳＴＢ：Set Top Box）として用いられる。
【００３９】
放送受信装置１００は、例えば、プロセッサ（マイクロプロセッサ）、メモリ、放送受信回路（チューナー）、通信インタフェース、ユーザインタフェース等を有する。通信インタフェースは、他の装置との間で情報の授受を行なうための通信回路等である。また、メモリは、例えば、ＲＯＭ、ＲＡＭ等であり、不揮発性メモリを含んでいてもよい。メモリには、後述する各機能構成要素の処理を実現するための制御プログラムやその制御プログラムで利用するための設定値等が予め格納され得る。また、メモリは、制御プログラムのプロセッサによる実行に際して用いられる各値を一時的に格納するためにも用いられ得る。また、放送受信装置１００は、ＤＶＢ−ＣＩ方式及びＤＶＢ−ＣＩ  Ｐｌｕｓ方式に準拠し、ＣＩスロットを備え、アンテナ、ケーブル等（不図示）から受信部（チューナー、通信インタフェース等）で受信した、暗号化された有料放送に係る信号を、ＣＩスロットに挿入（装着）して接続されるカードモジュール（ＣＡＭ：Conditional Access Module）により復号（デクリプト）する。放送受信装置１００が受信する放送信号は、トランスポートストリーム（ＴＳ：Transport Stream）を変調等して形成されるデジタル放送の信号であり、例えば、地上波放送、ＢＳ（Broadcast Satellite）放送、ＣＳ（Communication Satellite）放送、或いは、インターネット放送やケーブルテレビジョン等といった各種放送方式のうちいずれにより放送（送信）される信号であってもよい。デジタル放送では、ＭＰＥＧ２システム規格に準拠したＴＳにより放送内容（コンテンツ）が多重化され伝送される。ユーザによる選局操作等に応じて、放送受信装置１００は放送信号を受信して、放送内容（コンテンツ）に係る信号を出力する。放送受信装置１００が出力したコンテンツに係る信号は、ディスプレイ画面を有する表示装置２１０、及び、録画再生装置等である記録装置２２０にケーブル等（不図示）を介して伝送される。これにより、ユーザは、例えば表示装置２１０に表示される放送内容（コンテンツ）を視聴でき、記録装置２２０にコンテンツを記録させ得る。
【００４０】
表示装置２１０は、放送受信装置１００から伝送された信号に応じてコンテンツの映像をディスプレイ画面に表示し、例えば、コンテンツの音声をスピーカ等から出力する。このディスプレイは、例えば、液晶ディスプレイ、プラズマディスプレイ、有機ＥＬ（electroluminescence）ディスプレイ等である。
【００４１】
記録装置２２０は、例えばメモリ、ハードディスク等の記憶媒体（記録媒体）を有し、放送受信装置１００から伝送された信号に係るデータ（コンテンツのデータ）を記録媒体に記録し、ユーザ操作等に応じて、記録したデータに基づいてコンテンツを再生するための信号を、表示装置２１０に伝送する。
【００４２】
以下、上述した放送受信システムにおける放送受信装置１００について詳細に説明する。
【００４３】
図２は、放送受信装置１００の機能ブロック図である。なお、同図には、放送受信装置１００のＣＩスロットに挿入（つまり接続）されるＣＡＭ１９１，１９２と、放送受信装置１００にケーブル等で接続される表示装置２１０及び記録装置２２０とを付記している。
【００４４】
放送受信装置１００は、図２に示すように、第１受信部１１１、第２受信部１１２、操作受付部１２０、第１インタフェース（Ｉ／Ｆ）部１３１、第２Ｉ／Ｆ部１３２、デコーダ１４０、スイッチ１５０、及び、制御部１６０を備える。
【００４５】
第１受信部１１１は、チューナー、通信インタフェース等により実現され、アンテナ、ケーブル等を介して放送信号を受信し、ユーザ操作等に応じて、制御部１６０の制御下で、放送信号から抽出した特定のＴＳを出力する機能を有する。例えば、チューナーは、アンテナにより受信されたデジタル放送の放送波に係る放送信号を予め定められた放送方式に従って同調及び復調することでＴＳを得てスイッチ１５０に出力し得る。ここで、予め定められた放送方式は、例えば、ＤＶＢ−Ｔ（Digital Video Broadcasting-Terrestrial）方式、ＤＶＢ−Ｔ２（Digital Video Broadcasting-Second Generation Terrestrial）方式、ＤＶＢ−Ｃ（Digital Video Broadcasting-Cable）方式、ＤＶＢ−Ｓ（Digital Video Broadcasting-Satellite）方式、ＤＶＢ−Ｓ２（Digital Video Broadcasting Satellite-Second Generation）方式等である。また、例えば、通信インタフェースは、インターネット等のネットワークを通じて送信される放送信号を予め定められた通信プロトコルに従って受信することでＴＳを得てスイッチ１５０に出力し得る。第２受信部１１２は、第１受信部１１１と同様の機能を有するが、必ずしも第１受信部１１１と第２受信部１１２との両方が同じ放送局（放送信号の送信元）からの放送信号を受信可能である必要はない。例えば、第１受信部１１１はアンテナで受信した放送波から特定の放送信号を受信し、第２受信部１１２はケーブルを介してケーブルテレビジョンの放送信号或いはインターネット放送の放送信号を受信するものであってもよい。また、例えば、第１受信部１１１はある放送局Ａ及びある放送局Ｂからの放送信号を受信可能であって、第２受信部１１２は、その放送局Ｂ及びある放送局Ｃからの放送信号を受信可能であってもよい。放送受信装置１００は、第１受信部１１１及び第２受信部１１２により、２つの異なる放送局等による別々の放送内容（コンテンツ）を同時に受信可能であり、２つのＴＳを並列に処理し得る。
【００４６】
操作受付部１２０は、放送受信装置１００の筐体に設けられたボタン、スイッチ等のユーザインタフェースにより、受信する放送の選択（選局）等のユーザ操作を受け付けて制御部１６０に伝達する機能を有する。ユーザインタフェースは、ディスプレイを用いたグラフィカルユーザインタフェース（ＧＵＩ）であってもよい。また、操作受付部１２０は、例えば、赤外線リモコン信号等の受信装置を含み、リモコン装置のボタン押下等のユーザ操作に係る信号をリモコン装置から受信して制御部１６０に伝達するものであってもよい。
【００４７】
第１Ｉ／Ｆ部１３１は、ＣＩスロット等を含み、スイッチ１５０から入力されたＴＳを、ＣＩスロットに挿入（接続）されたカードモジュール（ＣＡＭ）に、入力する機能を有する。第２Ｉ／Ｆ部１３２は、第１Ｉ／Ｆ部１３１と同様の機能を有する。ＣＩスロットに挿入するカードモジュールは、暗号解読回路を含み、入力されたＴＳを復号（デクリプト）して出力する機能を有する。図２では、第１Ｉ／Ｆ部１３１のＣＩスロットにマルチカードモジュール（複数のＴＳを復号可能なＣＡＭ１９１）が接続され、第２Ｉ／Ｆ部１３２のＣＩスロットにシングルカードモジュール（単一のＴＳのみを復号可能なＣＡＭ１９２）が接続されている例を示した。しかし、各カードモジュールは、任意のＣＩスロットに挿入（任意のＩ／Ｆ部に接続）できる。カードモジュールには、例えばユーザに対応した契約者情報等が記録されたスマートカードが挿入されている。スマートカードは、例えば、放送事業者等からユーザに送付され、ユーザは、スマートカードを挿入したカードモジュールを放送受信装置１００のＣＩスロットに挿入して利用する。なお、各ＣＩスロットに挿入される各カードモジュールにおける復号可能な有料放送の放送信号（ＴＳ）は、同じであるとは限らない。例えば、一方のカードモジュールは、ある放送局Ａからの放送信号を復号でき、他方のカードモジュールは、その放送局Ａからの放送信号は復号できないが、ある放送局Ｂからの放送信号を復号できるような場合があり得る。また、例えば、一方のカードモジュールは、ある放送局Ａ及びある放送局Ｂからの放送信号を復号でき、他方のカードモジュールは、その放送局Ａからの放送信号は復号できないが、その放送局Ｂ及びある放送局Ｃからの放送信号を復号できるような場合があり得る。ここで、放送局を例として説明したが、復号できるか否かは必ずしも放送局単位で定まる必要はない。第１Ｉ／Ｆ部１３１及び第２Ｉ／Ｆ部１３２は、カードモジュールから出力された復号したＴＳに係る信号をスイッチ１５０に伝達する。なお、ＤＶＢ−ＣＩ  Ｐｌｕｓ方式により、カードモジュールから復号後のＴＳに係る信号が、更に暗号化（放送受信装置１００とカードモジュールとの間でのローカルな暗号化）が施されて伝達される場合に、例えば第１Ｉ／Ｆ部１３１及び第２Ｉ／Ｆ部１３２等といった放送受信装置１００内で、その暗号化された信号を復号して、利用し得る。
【００４８】
デコーダ１４０は、ＴＳをデコードするプロセッサ等を含み、スイッチ１５０から送出される、第１Ｉ／Ｆ部１３１及び第２Ｉ／Ｆ部１３２のいずれかに接続されたカードモジュールが出力した、復号された信号を、デコードして、カードモジュールによる復号の結果が正常であるか否かを判別する機能を有する。例えば、デコーダ１４０は、ＴＳを構成するＴＳパケットに含まれる暗号化の有無を表すデータに基づいて暗号化がなされたデータを読み出して、復号が正しく（正常に）行われているか否かを検査する。デコーダ１４０は、カードモジュールによる復号の結果が正常であるときにデコードの結果としてのコンテンツに係る信号（映像信号、音声信号等）を放送受信装置１００の外部に出力（表示装置２１０等に送出）する機能を有する。即ち、デコーダ１４０は、コンテンツに係る信号を、表示装置２１０に送出可能であり、また、記録装置２２０に送出可能である。
【００４９】
スイッチ１５０は、第１受信部１１１及び第２受信部１１２のそれぞれから出力されるＴＳを、第１Ｉ／Ｆ部１３１及び第２Ｉ／Ｆ部１３２のそれぞれに選択的に入力する機能を有する。即ち、スイッチ１５０は、各受信部から出力される各ＴＳを、第１Ｉ／Ｆ部１３１に入力するか、第２Ｉ／Ｆ部１３２に入力するかを制御部１６０の制御下で切り替える機能を有する。スイッチ１５０は、マルチプレクサ（Ｍｕｘ）１５１及びデマルチプレクサ（Ｄｅｍｕｘ）１５２を含む。スイッチ１５０では、第１Ｉ／Ｆ部１３１及び第２Ｉ／Ｆ部１３２のうちマルチカードモジュールが接続された方のＩ／Ｆ部に対して複数のＴＳを入力する場合において、Ｍｕｘ１５１で複数のＴＳを多重化して入力する。また、スイッチ１５０は、第１Ｉ／Ｆ部１３１及び第２Ｉ／Ｆ部１３２のそれぞれから出力されるカードモジュールによる復号結果の信号をデコーダ１４０に入力する機能を有する。スイッチ１５０では、Ｍｕｘ１５１で多重化して入力したＩ／Ｆ部から出力される信号をＤｅｍｕｘ１５２で複数に分離してデコーダ１４０へと送出する。なお、スイッチ１５０は、制御部１６０の制御下で、第１受信部１１１及び第２受信部１１２のそれぞれから出力されたＴＳのうち、カードモジュールによる復号の必要のないＴＳについては、第１Ｉ／Ｆ部１３１或いは第２Ｉ／Ｆ部１３２を経由させずに、直接デコーダ１４０に入力する。
【００５０】
制御部１６０は、例えばメモリ、制御プログラムを実行するプロセッサ等で実現され、放送受信装置１００の各部を制御する。制御部１６０は、例えば、操作受付部１２０により受け付けられたユーザ操作等に応じて、第１受信部１１１及び第２受信部１１２を制御して、これらの各受信部に、ユーザの選局操作等に従った放送信号を受信させてＴＳを出力させる機能を有する。また、制御部１６０は、予め定められたアルゴリズムに基づいて各受信部が出力する各ＴＳの一方を優先度が高い第１ＴＳと特定（選定）し、他方を相対的に優先度の低い第２ＴＳと特定（選定）する機能を有する。この第１ＴＳ及び第２ＴＳの選定結果は、例えば不揮発性メモリ等の記憶媒体に保持される。なお、第１ＴＳ及び第２ＴＳの選定に用いるアルゴリズムをユーザが選択可能にしてもよい。放送受信装置１００において、優先度が高い第１ＴＳは、受信してデコードして出力する処理の流れが途切れないように、優先的に処理されるべきＴＳである。優先度が高い第１ＴＳの選定方法の一例としては、固定的に第１受信部１１１が出力するＴＳを第１ＴＳと選定する方法、デコードされて現在表示装置２１０に送出されているＴＳ（つまり現在ユーザが視聴中であるＴＳ）を第１ＴＳと選定する方法、表示装置２１０に複数のＴＳに係るコンテンツが表示されている場合（メイン画面とサブ画面との２画面表示等）においてはメイン画面に対応するＴＳを第１ＴＳと選定する方法、記録装置２２０で録画中のＴＳを第１ＴＳと選定する方法等が挙げられる。また、制御部１６０は、第１Ｉ／Ｆ部１３１及び第２Ｉ／Ｆ部１３２のそれぞれに接続されたカードモジュールを認証し、カードモジュールから認証のために送出された情報に基づいて、マルチカードモジュールであるかシングルカードモジュールであるかを判別する機能を有する。また、制御部１６０は、各ＣＩスロットに挿入されたカードモジュールについての認証結果、及び、第１ＴＳ等の選定結果に基づいて、スイッチ１５０を制御する機能を有する。即ち、制御部１６０は、第１受信部１１１及び第２受信部１１２のいずれかから出力された第１ＴＳを、第１Ｉ／Ｆ部１３１及び第２Ｉ／Ｆ部１３２のうち、複数のＴＳを復号可能なマルチカードモジュールが接続されている一方のＩ／Ｆ部に入力するようにスイッチ１５０を制御する機能を有する。また、制御部１６０は、その一方のＩ／Ｆ部に接続されたカードモジュールが出力した信号に基づくデコーダ１４０の判別結果（復号が正常か否かの判別結果）が正常でないときには、第１ＴＳを、第１Ｉ／Ｆ部１３１及び第２Ｉ／Ｆ部１３２のうち他方のＩ／Ｆ部に入力するようにスイッチ１５０を切り替える機能を有する。また、制御部１６０は、第１Ｉ／Ｆ部１３１及び第２Ｉ／Ｆ部１３２のうちマルチカードモジュールが接続されている一方のＩ／Ｆ部に接続されたそのマルチカードモジュールが出力した信号に基づくデコーダ１４０の判別結果が正常であるときには、第１受信部１１１及び第２受信部１１２のうち第１ＴＳを出力しない方から出力された第２ＴＳを、他方のＩ／Ｆ部に入力するようにスイッチ１５０を制御し、他方のＩ／Ｆ部に接続されたカードモジュールが出力した信号に基づくデコーダ１４０の判別結果が正常でないときには、第２ＴＳを、そのマルチカードモジュールが接続されている一方のＩ／Ｆ部に入力するようにスイッチ１５０を切り替える機能を有する。なお、制御部１６０は、スイッチ１５０を制御して各カードモジュールへとＴＳを伝送させる際において、ＤＢＶ−ＣＩ規格等で規定された最大ビットレートの範囲内でＴＳの伝送がなされるようにスイッチ１５０等を制御してもよい。
【００５１】
［１−２．動作］
以下、上述の構成を備える放送受信装置１００におけるＣＡＭに関連する動作について説明する。
【００５２】
図３は、放送受信装置１００の動作例を示すフローチャートである。
【００５３】
まず、放送受信装置１００では、制御部１６０は、第１Ｉ／Ｆ部１３１及び第２Ｉ／Ｆ部１３２それぞれのＣＩスロットに接続されたカードモジュール（ＣＡＭ１９１，１９２）をＤＶＢ−ＣＩ  Ｐｌｕｓ規格等に基づいて認証することにより、マルチカードモジュール（複数のＴＳを復号可能なＣＡＭ）か否かを判別する（ステップＳ１１）。このカードモジュールの認証は、既に各カードモジュールがＣＩスロットに挿入されている状態であれば放送受信装置１００の起動時（電源オン時）に実行されるが、その他に、各カードモジュールがＣＩスロットに挿入された時において実行されてもよい。ここでは、放送受信装置１００の１つのＣＩスロットには、マルチカードモジュールが挿入され、もう１つのＣＩスロットにシングルカードモジュールが挿入されている状態であることを前提として説明する。
【００５４】
放送受信装置１００は、ユーザの操作を操作受付部１２０で受け付け、操作受付部１２０は、操作に係る情報を制御部１６０に伝達する。ユーザが視聴したい放送番組（コンテンツ）を放送する放送局（チャンネル等）を選ぶための選局操作を行った場合には（ステップＳ１２）、制御部１６０は、その選局に応じて第１受信部１１１或いは第２受信部１１２を制御して放送信号を受信させる（ステップＳ１３）。ここでは、ユーザの選局に応じて受信する放送信号は、有料放送の放送信号であり、暗号化されているものとして説明する。ユーザが各受信部（第１受信部１１１及び第２受信部１１２）に受信させるべき放送信号を放送する放送局を指定して、制御部１６０がユーザの指定に従って各受信部を制御してもよい。また、ユーザが単に放送局を指定して、制御部１６０が、各受信部が受信可能な放送局を踏まえて、各受信部に受信させるべき放送信号を放送する放送局を特定して各受信部を制御してもよい。ユーザは、１つ又は２つの放送局を指定可能である。なお、制御部１６０は、例えば、放送受信装置１００が前回電源オフにされたとき受信していた放送の放送局（チャンネル等）を記憶しておき、電源オンにされた時に、その記憶していた放送局をユーザが選局した場合と同様な動作を行い得る。ユーザは、選局操作に際して、例えば、放送内容の出力先（放送内容を表示装置２１０で表示させるか記録装置２２０に記録させるか）を指定してもよい。
【００５５】
続いて、制御部１６０は、予め定められたアルゴリズム等に基づいて、ユーザ操作に応じて、第１ＴＳを特定（選定）し、また、ユーザが２つの放送局を指定したことがある場合等においては更に、第１ＴＳより優先度の低い第２ＴＳを特定（選定）する（ステップＳ１４）。即ち、制御部１６０は、第１受信部１１１が出力するＴＳと第２受信部１１２が出力するＴＳとのうちの一方を第１ＴＳと選定し、他方を第２ＴＳと選定し得る。この選定は予め定められたアルゴリズム等に基づいてなされる。例えば、制御部１６０は、ユーザが放送内容の出力先を記録装置２２０として指定した場合に、その放送に係るＴＳを第１ＴＳと選定することとしてもよい。また、放送受信装置１００が、表示装置２１０に２画面を表示（２つの放送内容を表示）する機能を有し、メイン画面とサブ画面とを定めている場合においては、ユーザが放送内容の出力先を表示装置２１０のメイン画面として指定したときに、その放送に係るＴＳを第１ＴＳと選定することとしてもよい。また、例えば、ユーザがまだ１つの放送局の指定しかしていない場合等において、第１受信部１１１及び第２受信部１１２のうち一方のみがその指定に応じてＴＳを出力しているときには、制御部１６０は、その１つのＴＳを第１ＴＳとして特定（選定）してもよい。例えば、この第１ＴＳのみを特定した後において、ユーザに指定された１つの放送局に係るＴＳを制御部１６０は、第２ＴＳとして特定（選定）してもよい。
【００５６】
次に、制御部１６０は、第１受信部１１１及び第２受信部１１２のそれぞれが出力するＴＳを、第１Ｉ／Ｆ部１３１及び第２Ｉ／Ｆ部１３２のいずれかに入力するようスイッチ１５０を制御するスイッチ制御処理を実行する（ステップＳ１５）。放送受信装置１００は、ユーザにより選局操作がなされる度に（ステップＳ１２）、ステップＳ１３〜ステップＳ１５での処理を行う。
【００５７】
図４及び図５は、放送受信装置１００におけるスイッチ制御処理（図３のステップＳ１５）を示すフローチャートである。以下、図４及び図５に即して、スイッチ制御処理を説明する。
【００５８】
まず、制御部１６０は、上述のステップＳ１４で特定（選定）している第１ＴＳを、第１Ｉ／Ｆ部１３１及び第２Ｉ／Ｆ部１３２のうち、マルチカードモジュールが挿入（装着）されているＣＩスロットを有するＩ／Ｆ部へ入力するようにスイッチ１５０を制御する（ステップＳ２１）。なお、制御部１６０は、上述のステップＳ１１で、第１Ｉ／Ｆ部１３１及び第２Ｉ／Ｆ部１３２のそれぞれのＣＩスロットに挿入（接続）されているカードモジュールが、マルチカードモジュールであるかシングルカードモジュールであるかを判別しているのでその判別結果がステップＳ２１において利用される。ここでは、説明の便宜上、第１Ｉ／Ｆ部１３１のＣＩスロットにマルチカードモジュール１９１が挿入され、第２Ｉ／Ｆ部１３２のＣＩスロットにシングルカードモジュール１９２が挿入されているものとして説明する（図２参照）。ステップＳ２１でのスイッチ１５０の制御により、第１受信部１１１及び第２受信部１１２の一方から出力された第１ＴＳは、スイッチ１５０により第１Ｉ／Ｆ部１３１に入力され、マルチカードモジュール１９１へ伝送される。これにより、第１ＴＳはマルチカードモジュール１９１で復号され、復号後のＴＳに係る信号が第１Ｉ／Ｆ部１３１及びスイッチ１５０を介してデコーダ１４０に伝送されることになる。
【００５９】
ステップＳ２１に続いて、制御部１６０は、デコーダ１４０から、第１ＴＳのマルチカードモジュール１９１での復号結果が正常であるか否かの判別結果を取得して（ステップＳ２２）、判別結果が正常を示す場合には、ステップＳ２３での処理に移る。また、その判別結果が正常でない場合（つまりマルチカードモジュール１９１で第１ＴＳが正しく復号できていない場合）には、ステップＳ２９での処理に移る。
【００６０】
ステップＳ２３において、制御部１６０は、第２ＴＳを既に特定（選定）しているか否かを区別して、まだ第２ＴＳを特定していない場合には、スイッチ制御処理を終える。なお、ステップＳ２２で、判別結果が正常を示す場合においては、第１ＴＳはデコーダ１４０でデコードされ放送受信装置１００から、例えば表示装置２１０等に、出力される。上述のステップＳ１４で、第２ＴＳを既に特定している場合には、その第２ＴＳを、第１Ｉ／Ｆ部１３１及び第２Ｉ／Ｆ部１３２のうち、シングルカードモジュールが挿入（装着）されているＣＩスロットを有するＩ／Ｆ部へ入力するようにスイッチ１５０を制御する（ステップＳ２４）。ステップＳ２４でのスイッチ１５０の制御により、第１受信部１１１及び第２受信部１１２のうち第１ＴＳを出力しない方から出力された第２ＴＳは、スイッチ１５０により第２Ｉ／Ｆ部１３２に入力され、シングルカードモジュール１９２へ伝送される。これにより、第２ＴＳはシングルカードモジュール１９２で復号され、復号後のＴＳに係る信号が第２Ｉ／Ｆ部１３２及びスイッチ１５０を介してデコーダ１４０に伝送されることになる。
【００６１】
ステップＳ２４に続いて、制御部１６０は、デコーダ１４０から、第２ＴＳのシングルカードモジュール１９２での復号結果が正常であるか否かの判別結果を取得して（ステップＳ２５）、判別結果が正常を示す場合には、スイッチ制御処理を終える。この判別結果が正常を示す場合には、マルチカードモジュール１９１で復号された第１ＴＳに係る信号及びシングルカードモジュール１９２で復号された第２ＴＳに係る信号のそれぞれがデコーダ１４０でデコードされ放送受信装置１００から、例えば表示装置２１０等に、出力される。この結果として、例えば表示装置２１０では、２画面表示の機能により、第１ＴＳに係る放送内容と第２ＴＳに係る放送内容とを表示し得る。
【００６２】
ステップＳ２５でデコーダ１４０から取得した判別結果が正常でない場合（つまりシングルカードモジュール１９２で第２ＴＳが正しく復号できていない場合）には、第１受信部１１１及び第２受信部１１２が出力する各ＴＳと、ＴＳにおける暗号化された信号を復号する各カードモジュールとの組み合わせを、変更することで復号が可能になる可能性がある。このため、制御部１６０は、ステップＳ２６での処理に移る。
【００６３】
ステップＳ２６において、制御部１６０は、第２ＴＳを、第１Ｉ／Ｆ部１３１及び第２Ｉ／Ｆ部１３２のうち、マルチカードモジュールが挿入（装着）されているＣＩスロットを有するＩ／Ｆ部へ入力するようにスイッチ１５０を制御する（ステップＳ２６）。この場合において、ステップＳ２１により、マルチカードモジュール１９１が接続されている第１Ｉ／Ｆ部１３１にスイッチ１５０から既に第１ＴＳが入力されているので、制御部１６０は、第１ＴＳと第２ＴＳとをマルチプレクサ（Ｍｕｘ）１５１で多重して第１Ｉ／Ｆ部１３１に入力するようスイッチ１５０を制御する。なお、この場合、例えば、既に第１Ｉ／Ｆ部１３１に入力している第１ＴＳの帯域幅を、狭くしないように保って、第２ＴＳを多重することが、第１ＴＳの優先度が相対的に高いことに鑑みれば有用である。即ち、制御部１６０は、スイッチ１５０を制御してマルチカードモジュールに第１ＴＳを入力している際に、マルチカードモジュールに第２ＴＳを入力するときには、第１ＴＳの入力に用いられる帯域を保ったまま、マルチカードモジュールに第２ＴＳが入力されるように制御することが有用である。しかし、例えば、ＤＶＢ−ＣＩ  Ｐｌｕｓ規格で規定する最大９６Ｍｂｐｓのビットレートの範囲内で、第１ＴＳ及び第２ＴＳが用いる帯域幅を任意に定めてもよい。ステップＳ２６でのスイッチ１５０の制御により、第１受信部１１１及び第２受信部１１２から出力された第１ＴＳ及び第２ＴＳは、スイッチ１５０により第１Ｉ／Ｆ部１３１に入力され、マルチカードモジュール１９１へ伝送される。マルチカードモジュール１９１に第２ＴＳが追加的に入力されても、マルチカードモジュール１９１で復号中の第１ＴＳは、途切れることなくデコーダ１４０でデコードされ放送受信装置１００から出力されている。ステップＳ２６でのスイッチ１５０の制御により、第２ＴＳもマルチカードモジュール１９１で復号され、復号後のＴＳに係る信号が第１Ｉ／Ｆ部１３１及びスイッチ１５０を介してデコーダ１４０に伝送されることになる。
【００６４】
ステップＳ２６に続いて、制御部１６０は、デコーダ１４０から、第２ＴＳのマルチカードモジュール１９１での復号結果が正常であるか否かの判別結果を取得して（ステップＳ２７）、判別結果が正常を示す場合には、スイッチ制御処理を終える。この場合には、マルチカードモジュール１９１で復号された第１ＴＳ及び第２ＴＳのそれぞれがデコーダ１４０でデコードされ放送受信装置１００から、例えば表示装置２１０等に、出力される。
【００６５】
ステップＳ２７でデコーダ１４０から取得した判別結果が正常でない場合（つまりマルチカードモジュール１９１で第２ＴＳが正しく復号できていない場合）には、制御部１６０は、第２ＴＳについての視聴等ができない旨を示すエラーメッセージを出力する等といったエラー処理を行って（ステップＳ２８）、スイッチ制御処理を終える。この場合において、マルチカードモジュール１９１で復号された第１ＴＳは途切れることなくデコーダ１４０でデコードされ放送受信装置１００から出力されている。なお、第２ＴＳについて視聴等ができない旨を示すエラーメッセージは、例えば、表示装置２１０に表示されるようにしてもよい。
【００６６】
ステップＳ２９では、第１ＴＳがシングルカードモジュール１９２で正しく復号できる可能性を確かめるために、制御部１６０は、第１ＴＳを、第１Ｉ／Ｆ部１３１及び第２Ｉ／Ｆ部１３２のうち、シングルカードモジュールが挿入（装着）されているＣＩスロットを有するＩ／Ｆ部へ入力するようにスイッチ１５０を制御する。ステップＳ２９でのスイッチ１５０の制御により、第１受信部１１１及び第２受信部１１２のうち一方から出力された第１ＴＳは、スイッチ１５０により第２Ｉ／Ｆ部１３２に入力され、シングルカードモジュール１９２へ伝送される。これにより、第１ＴＳはシングルカードモジュール１９２で復号され、復号後のＴＳに係る信号が第２Ｉ／Ｆ部１３２及びスイッチ１５０を介してデコーダ１４０に伝送されることになる。
【００６７】
ステップＳ２９に続いて、制御部１６０は、デコーダ１４０から、第１ＴＳのシングルカードモジュール１９２での復号結果が正常であるか否かの判別結果を取得して（ステップＳ３０）、判別結果が正常を示す場合には、ステップＳ３１での処理に移る。また、その判別結果が正常でない場合（つまりシングルカードモジュール１９２で第１ＴＳが正しく復号できていない場合）には、ステップＳ３５での処理に移る。
【００６８】
ステップＳ３１において、制御部１６０は、第２ＴＳを既に特定（選定）しているか否かを区別して、まだ第２ＴＳを特定していない場合には、スイッチ制御処理を終える。なお、ステップＳ３０で、判別結果が正常を示す場合においては、第１ＴＳはデコーダ１４０でデコードされ放送受信装置１００から、例えば表示装置２１０等に、出力される。上述のステップＳ１４で、第２ＴＳを既に特定している場合には、その第２ＴＳを、第１Ｉ／Ｆ部１３１及び第２Ｉ／Ｆ部１３２のうち、マルチカードモジュールが挿入（装着）されているＣＩスロットを有するＩ／Ｆ部へ入力するようにスイッチ１５０を制御する（ステップＳ３２）。ステップＳ３２でのスイッチ１５０の制御により、第１受信部１１１及び第２受信部１１２のうち第１ＴＳを出力しない方から出力された第２ＴＳは、スイッチ１５０により第１Ｉ／Ｆ部１３１に入力され、マルチカードモジュール１９１へ伝送される。これにより、第２ＴＳはマルチカードモジュール１９１で復号され、復号後のＴＳに係る信号が第１Ｉ／Ｆ部１３１及びスイッチ１５０を介してデコーダ１４０に伝送されることになる。
【００６９】
ステップＳ３２に続いて、制御部１６０は、デコーダ１４０から、第２ＴＳのマルチカードモジュール１９１での復号結果が正常であるか否かの判別結果を取得して（ステップＳ３３）、判別結果が正常を示す場合には、スイッチ制御処理を終える。この判別結果が正常を示す場合には、シングルカードモジュール１９２で復号された第１ＴＳに係る信号及びマルチカードモジュール１９１で復号された第２ＴＳに係る信号のそれぞれがデコーダ１４０でデコードされ放送受信装置１００から、例えば表示装置２１０等に、出力される。
【００７０】
ステップＳ３３でデコーダ１４０から取得した判別結果が正常でない場合（つまりマルチカードモジュール１９１で第２ＴＳが正しく復号できていない場合）には、制御部１６０は、第２ＴＳについての視聴等ができない旨を示すエラーメッセージを出力する等といったエラー処理を行って（ステップＳ３４）、スイッチ制御処理を終える。
【００７１】
また、ステップＳ３５では、制御部１６０は、第１ＴＳについての視聴等ができない旨を示すエラーメッセージを出力する等といったエラー処理を行う。
【００７２】
続いて、制御部１６０は、第２ＴＳを既に特定（選定）しているか否かを区別して（ステップＳ３６）、まだ第２ＴＳを特定していない場合には、スイッチ制御処理を終える。上述のステップＳ１４で、第２ＴＳを既に特定している場合には、制御部１６０は、その第２ＴＳを、第１Ｉ／Ｆ部１３１及び第２Ｉ／Ｆ部１３２のうち、マルチカードモジュールが挿入（装着）されているＣＩスロットを有するＩ／Ｆ部へ入力するようにスイッチ１５０を制御する（ステップＳ３７）。ステップＳ３７でのスイッチ１５０の制御により、第１受信部１１１及び第２受信部１１２のうち第１ＴＳを出力しない方から出力された第２ＴＳは、スイッチ１５０により第１Ｉ／Ｆ部１３１に入力され、マルチカードモジュール１９１へ伝送される。これにより、第２ＴＳはマルチカードモジュール１９１で復号され、復号後のＴＳに係る信号が第１Ｉ／Ｆ部１３１及びスイッチ１５０を介してデコーダ１４０に伝送されることになる。
【００７３】
ステップＳ３７に続いて、制御部１６０は、デコーダ１４０から、第２ＴＳのマルチカードモジュール１９１での復号結果が正常であるか否かの判別結果を取得して（ステップＳ３８）、判別結果が正常を示す場合には、スイッチ制御処理を終える。
【００７４】
ステップＳ３８でデコーダ１４０から取得した判別結果が正常でない場合（つまりマルチカードモジュール１９１で第２ＴＳが正しく復号できていない場合）には、制御部１６０は、ステップＳ３９での処理に移る。
【００７５】
ステップＳ３９では、第２ＴＳがシングルカードモジュール１９２で正しく復号できる可能性を確かめるために、制御部１６０は、第２ＴＳを、第１Ｉ／Ｆ部１３１及び第２Ｉ／Ｆ部１３２のうち、シングルカードモジュールが挿入（装着）されているＣＩスロットを有するＩ／Ｆ部へ入力するようにスイッチ１５０を制御する。ステップＳ３９でのスイッチ１５０の制御により、第１受信部１１１及び第２受信部１１２のうち一方から出力された第２ＴＳは、スイッチ１５０により第２Ｉ／Ｆ部１３２に入力され、シングルカードモジュール１９２へ伝送される。これにより、第２ＴＳはシングルカードモジュール１９２で復号され、復号後のＴＳに係る信号が第２Ｉ／Ｆ部１３２及びスイッチ１５０を介してデコーダ１４０に伝送されることになる。
【００７６】
ステップＳ３９に続いて、制御部１６０は、デコーダ１４０から、第２ＴＳのシングルカードモジュール１９２での復号結果が正常であるか否かの判別結果を取得して（ステップＳ４０）、判別結果が正常を示す場合には、スイッチ制御処理を終える。この判別結果が正常を示す場合には、シングルカードモジュール１９２で復号された第２ＴＳに係る信号がデコーダ１４０でデコードされ放送受信装置１００から、例えば表示装置２１０等に、出力される。
【００７７】
ステップＳ４０でデコーダ１４０から取得した判別結果が正常でない場合（つまりシングルカードモジュール１９２で第２ＴＳが正しく復号できていない場合）には、制御部１６０は、第２ＴＳについての視聴等ができない旨を示すエラーメッセージを出力する等といったエラー処理を行って（ステップＳ４１）、スイッチ制御処理を終える。
【００７８】
上述のスイッチ制御処理等により、カードモジュールを複数装着（接続）して各カードモジュールが出力した信号をデコードする放送受信装置１００において、ＴＳを各カードモジュールに選択的に入力する入力方法が実現される。この入力方法は、放送受信装置１００のプロセッサに実行される選択入力処理（スイッチ制御処理等）において用いられる。この入力方法では、例えば、第１ステップとして、第１ＴＳを、放送受信装置１００に装着（接続）された各カードモジュールのうち、複数のＴＳを復号可能なマルチカードモジュールに入力する。次に、第２ステップとして、第１ステップで入力を行った後に、マルチカードモジュールが出力した信号に基づいてマルチカードモジュールでの復号の結果が正常であるか否かを判別し、判別の結果が正常でないときには、第１ＴＳを、各カードモジュールのうちマルチカードモジュール以外のカードモジュール（シングルカードモジュール）に入力する。次に第３ステップとして、第２ステップにおいてマルチカードモジュールが出力した信号に基づき、マルチカードモジュールでの復号の結果が正常であると判別を行ったときには、第１ＴＳ以外の第２ＴＳを、マルチカードモジュール以外のカードモジュールに入力する。次に第４ステップで、第３ステップで入力を行った後に、マルチカードモジュール以外のカードモジュールが出力した信号に基づいてマルチカードモジュール以外のカードモジュールでの復号の結果が正常であるか否かを判別し、判別の結果が正常でないときには、第２ＴＳを、各カードモジュールのうちマルチカードモジュールに入力する。
【００７９】
［１−３．効果等］
放送受信装置１００では、優先度の高い第１ＴＳを、第１Ｉ／Ｆ部１３１及び第２Ｉ／Ｆ部１３２のうち、マルチカードモジュールが挿入（装着）されたＣＩスロットに対応するＩ／Ｆ部を優先して入力するようにスイッチ１５０を制御する。これにより、第１ＴＳを一方のＣＩスロットに挿入されたカードモジュールで復号してデコーダ１４０でデコードして表示装置２１０等に出力している場合において、第２ＴＳを他方のＣＩスロットに挿入されたカードモジュールで正常に復号できなかったときにも、既に出力中の第１ＴＳを途切れさせることなく、第２ＴＳが他のカードモジュールで復号可能か否かについて確かめることが可能になる。
【００８０】
因みに、放送受信装置が、優先度の高い第１ＴＳを、シングルカードモジュールが挿入されたＣＩスロットに対応するＩ／Ｆ部に先に入力するように制御したと仮定する。この場合においては、優先度の低い第２ＴＳがマルチカードモジュールで復号できなかったときに、２つのＴＳと２つのカードモジュールとの対応関係を入れ替えることで適切に復号できる可能性を確認すべきとなる。そして、この確認のために、シングルカードモジュールに第２ＴＳを入力して復号させた時点で、シングルカードモジュールで復号してデコーダでデコードされて放送受信装置から出力中の第１ＴＳに係る信号が途切れてしまう。シングルカードモジュールは、複数のＴＳを復号できないからである。この仮定の場合と異なり、上述の放送受信装置１００では、第１ＴＳをマルチカードモジュールが挿入されたＣＩスロットに対応するＩ／Ｆ部に先に入力するよう制御するので、第１ＴＳに係る信号が途切れることが抑制される。
【００８１】
以上説明したように、放送受信装置１００を含む放送受信システムにおいては、２つのインタフェース（ＣＩスロット）の一方にシングルカードモジュールが他方にマルチカードモジュールが接続される場合に対応して有料放送の視聴を可能にし、かつ、復号されたＴＳに係るコンテンツの出力の中断を抑制し得る。
【００８２】
（他の実施の形態）
以上のように、本出願において開示する技術の例示として、実施の形態１を説明した。しかしながら、本開示における技術は、これに限定されず、適宜、変更、置き換え、付加、省略等を行った実施の形態にも適用可能である。
【００８３】
実施の形態１で示した放送受信装置１００は、ＳＴＢであることとしたが、独立した筐体を有するＳＴＢに限らず、ディスプレイ画面を有するテレビジョン受信機の一部、或いは、記録装置（録画再生装置等）の一部等を構成するものであってもよい。また、例えば、放送受信装置１００が表示装置２１０或いは記録装置２２０を包含していてもよい。なお、放送受信装置１００の各構成要素は、１つの筐体内に設けられなくてもよく、相互に連携動作可能であれば例えば別筐体に分離していてもよい。
【００８４】
また、実施の形態１では、制御部１６０が、操作受付部１２０により受け付けられたユーザ操作に基づいて、第１受信部１１１及び第２受信部１１２のいずれから出力されたＴＳを、第１ＴＳとして特定（選定）してスイッチ１５０の制御を行うこととしたが、第１ＴＳの選定（或いは第２ＴＳの選定）は、必ずしもユーザ操作と対応しなくてもよい。例えば、制御部１６０は、固定的に第１受信部１１１が放送信号を受信して出力するＴＳを第１ＴＳとして選定し、第２受信部１１２が放送信号を受信して出力するＴＳを第２ＴＳとして選定することとしてもよい。また、制御部１６０は、ユーザ操作に応じて、一旦第２ＴＳとして選定しているＴＳを第１ＴＳに変更してもよい。例えば、表示装置２１０で２画面表示の機能により、第１ＴＳに係る放送内容と第２ＴＳに係る放送内容とを表示している際にユーザが第１ＴＳの表示を停止させて１画面表示にするための操作をした場合において、制御部１６０は、第２ＴＳとして選定されていたＴＳを第１ＴＳとして定めてスイッチ制御処理（図４及び図５参照）を実行させてもよい。スイッチ制御処理は、放送受信装置１００の出力内容を変更し得るので、例えば、ユーザ操作がなされたタイミングで実行することが有用である。
【００８５】
また、実施の形態１では、放送受信装置１００が、マルチカードモジュール及びシングルカードモジュールを任意のＣＩスロットに挿入（装着）可能である例を示したが、マルチカードモジュールを挿入可能なＣＩスロットと、シングルカードモジュールを挿入可能なＣＩスロットとを予め定めておいてもよい。また、放送受信装置１００は、上述の実施の形態で説明した以外の構成（例えば更なるＣＩスロット等）を備えていてもよい。
【００８６】
また、放送受信装置１００における各機能構成要素（機能ブロック）は、ＩＣ（Integrated Circuit）、ＬＳＩ（Large Scale Integration）等の半導体装置により個別に１チップ化されてもよいし、一部又は全部を含むように１チップ化されてもよい。また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。更には、半導体技術の進歩又は派生する別技術によりＬＳＩに置き換わる集積回路化の技術が登場すれば、その技術を用いて機能ブロックの集積化を行ってもよい。バイオ技術の適用等が可能性としてあり得る。
【００８７】
また、上述した各種処理（例えば図３〜図５に示した手順等）の全部又は一部は、電子回路等のハードウェアにより実現されても、ソフトウェアを用いて実現されてもよい。なお、ソフトウェアによる処理は、放送受信装置に含まれるプロセッサがメモリに記憶された制御プログラムを実行することにより実現されるものである。また、その制御プログラムを記録媒体に記録して頒布や流通させてもよい。例えば、頒布された制御プログラムを放送受信装置にインストールして、放送受信装置のプロセッサに実行させることで、放送受信装置に各種処理（図３〜図５に示す処理等）を行わせることが可能となる。
【００８８】
また、上述した実施の形態で示した構成要素及び機能を任意に組み合わせることで実現される形態も本開示の範囲に含まれる。
【産業上の利用可能性】
【００８９】
本開示は、複数のＣＩスロットを備える放送受信装置において適用可能である。
【符号の説明】
【００９０】
１００  放送受信装置
１１１  第１受信部
１１２  第２受信部
１２０  操作受付部
１３１  第１インタフェース（Ｉ／Ｆ）部
１３２  第２インタフェース（Ｉ／Ｆ）部
１４０  デコーダ
１５０  スイッチ
１６０  制御部
１９１  ＣＡＭ（マルチカードモジュール）
１９２  ＣＡＭ（シングルカードモジュール）
２１０  表示装置
２２０  記録装置
【図１】
2017163427.tif 000003
【図２】
2017163427.tif 000004
【図３】
2017163427.tif 000005
【図４】
2017163427.tif 000006
【図５】
2017163427.tif 000007